(57)【要約】【課題】無線通信装置の種類やパーツ・配線の位置のばらつき等による特性の変化を抑えたアンテナユニット及び無線通信装置を提供する。【解決手段】無線により通信を行う無線通信装置に設けられるアンテナユニットであって、電波を送信又は受信する電波共振部と、電波共振部と電気的に接続されたアンテナグランド部と、アンテナグランド部を、無線通信装置の他のグランド部より電波共振部に近い位置に固定する接続部とを備えるアンテナユニットを提供する。【選択図】  図２
2004266681.tif 000002
【特許請求の範囲】
【請求項１】
無線により通信を行う無線通信装置に設けられるアンテナユニットであって、
電波を送信又は受信する電波共振部と、
前記電波共振部と電気的に接続されたアンテナグランド部と、
前記アンテナグランド部を、前記無線通信装置の他のグランド部より前記電波共振部に近い位置に固定する接続部と
を備えるアンテナユニット。
【請求項２】
前記アンテナグランド部は、前記電波共振部と一体に形成された請求項１記載のアンテナユニット。
【請求項３】
前記電波共振部に対して前記アンテナグランド部より離れた位置に配回され、シールド線が前記アンテナグランド部に接続される給電線を更に備える請求項１記載のアンテナユニット。
【請求項４】
前記給電線の前記シールド線は、前記アンテナグランド部における前記電波共振部に対する背面側において、前記アンテナグランド部に接続される請求項３記載のアンテナユニット。
【請求項５】
前記無線通信装置は表示パネルを備え、
前記アンテナグランド部は、前記表示パネルの側面から前記表示パネルの外側へ向かって延伸する請求項１記載のアンテナユニット。
【請求項６】
前記アンテナグランド部は、前記表示パネルの表示面より表示方向側かつ前記電波共振部より前記表示パネル側に位置する請求項５記載のアンテナユニット。
【請求項７】
前記電波共振部は、
前記アンテナグランド部から前記表示パネルの表示方向へ向かって延伸する電波共振側部と、
前記アンテナグランド部と対向して設けられ、前記電波共振側部から前記表示パネル側に向かって延伸する電波共振上部と
を有する請求項５記載のアンテナユニット。
【請求項８】
前記電波共振部は、
第１電波共振エレメントと、
少なくとも一部が前記第１電波共振エレメントの長辺方向に延伸して設けられ、一端が前記アンテナグランド部に接続され、他端が前記第１電波共振エレメントに接続された第２電波共振エレメントと
を有し、
前記第１電波共振エレメントは、前記第２電波共振エレメントより長い波長の電波を送信又は受信する
請求項１記載のアンテナユニット。
【請求項９】
無線により通信を行う無線通信装置に設けられるアンテナユニットであって、
電波を送信又は受信する電波共振部と、
グランドに接地されたアンテナグランド部と、
前記アンテナグランド部を、前記無線通信装置の他のグランド部より前記電波共振部に近い位置に固定する接続部と、
前記電波共振部に対して前記アンテナグランド部より離れた位置に配回され、シールド線が前記アンテナグランド部における前記電波共振部に対する背面側において前記アンテナグランド部に接続され、信号線が前記電波共振部に接続される給電線と
を備えるアンテナユニット。
【請求項１０】
無線により通信を行う無線通信装置であって、
電波を送信又は受信する電波共振部と、
前記電波共振部と電気的に接続されたアンテナグランド部と、
前記アンテナグランド部を、前記無線通信装置の他のグランド部より前記電波共振部に近い位置に固定する接続部と
を備える無線通信装置。
【請求項１１】
第１の前記電波共振部及び第２の前記電波共振部と、
前記第１の電波共振部及び前記第２の電波共振部とそれぞれ電気的に接続された第１の前記アンテナグランド部及び第２の前記アンテナグランド部と、
前記第１のアンテナグランド部及び前記第２のアンテナグランド部を、前記無線通信装置の他のグランド部よりそれぞれ前記第１の電波共振部及び前記第２の電波共振部に近い位置に固定する第１の前記接続部及び第２の前記接続部と
を備え、
前記第１の電波共振部及び前記第２の電波共振部のそれぞれは、第１の周波数帯及び第２の周波数帯の送信又は受信において共用され、
前記第２の電波共振部は、前記第１の電波共振部と比較し、前記第１の周波数帯の利得が低く、前記第２の周波数帯の利得が高い
請求項１０記載の無線通信装置。
【請求項１２】
無線により通信を行う無線通信装置であって、
電波を送信又は受信する電波共振部と、
グランドに接地されたアンテナグランド部と、
前記アンテナグランド部を、前記無線通信装置の他のグランド部より前記電波共振部に近い位置に固定する接続部と、
前記電波共振部に対して前記アンテナグランド部より離れた位置に配回され、シールド線が前記アンテナグランド部における前記電波共振部に対する背面側において前記アンテナグランド部に接続され、信号線が前記電波共振部に接続される給電線と
を備える無線通信装置。
【発明の詳細な説明】
【０００１】
【発明の属する技術分野】
本発明は、アンテナユニット及び無線通信装置に関する。特に本発明は、無線により通信を行う無線通信装置に設けられ、周囲のパーツ等に依存するアンテナ特性のばらつきを抑えたアンテナユニット、及びこれを用いる無線通信装置に関する。
【０００２】
【従来の技術】
近年、パーソナルコンピュータやＰＤＡ等の情報処理装置に、ＩＥＥＥ８０２．１１ａ／ｂ／ｇやＢｌｕｅｔｏｏｔｈ（登録商標）等のワイヤレスＬＡＮ機能を内蔵するものが普及している。この様にワイヤレスＬＡＮ機能を内蔵した情報処理装置においては、情報処理装置内部のパーツ等によるアンテナへの影響を抑え、安定した特性をもつアンテナを実現することが望まれる。
【０００３】
従来、情報処理装置がアンテナに与えるノイズ等の影響を抑える方法として、例えば表示パネルのシールド部材をアンテナのグランド回路として用いる方法が提案されている（特許文献１参照。）。
【０００４】
【特許文献１】
特開２０００−１７４５２７号公報
【０００５】
【発明が解決しようとする課題】
ＩＥＥＥ８０２．１１ａ／ｂ／ｇやＢｌｕｅｔｏｏｔｈ（登録商標）等のワイヤレスＬＡＮ機能においては、規格によって異なる周波数帯域を使用するため、１つのアンテナで全ての周波数帯を実現することが望ましい。これを実現するためには、製造・組み立て時にアンテナのインピーダンス等の特性をより高精度に定めておく必要がある。
【０００６】
一方、同一のアンテナを複数種類の情報処理装置に適用すると、情報処理装置の種類に応じてパーツの位置や表示パネルが異なるため、アンテナの特性が変わってしまう。また、同一の情報処理装置においても、パーツや配線の位置のばらつき等により、アンテナの特性が影響を受ける。
【０００７】
そこで本発明は、上記の課題を解決することのできるアンテナユニット及び無線通信装置を提供することを目的とする。この目的は特許請求の範囲における独立項に記載の特徴の組み合わせにより達成される。また従属項は本発明の更なる有利な具体例を規定する。
【０００８】
【課題を解決するための手段】
即ち、本発明の第１の形態によると、無線により通信を行う無線通信装置に設けられるアンテナユニットであって、電波を送信又は受信する電波共振部と、前記電波共振部と電気的に接続されたアンテナグランド部と、前記アンテナグランド部を、前記無線通信装置の他のグランド部より前記電波共振部に近い位置に固定する接続部とを備えるアンテナユニットを提供する。
【０００９】
また、本発明の第２の形態によると、無線により通信を行う無線通信装置に設けられるアンテナユニットであって、電波を送信又は受信する電波共振部と、グランドに接地されたアンテナグランド部と、前記アンテナグランド部を、前記無線通信装置の他のグランド部より前記電波共振部に近い位置に固定する接続部と、前記電波共振部に対して前記アンテナグランド部より離れた位置に配回され、シールド線が前記アンテナグランド部における前記電波共振部に対する背面側において前記アンテナグランド部に接続され、信号線が前記電波共振部に接続される給電線とを備えるアンテナユニットを提供する。
【００１０】
また、本発明の第３の形態によると、無線により通信を行う無線通信装置であって、電波を送信又は受信する電波共振部と、前記電波共振部と電気的に接続されたアンテナグランド部と、前記アンテナグランド部を、前記無線通信装置の他のグランド部より前記電波共振部に近い位置に固定する接続部とを備える無線通信装置を提供する。
【００１１】
また、本発明の第４の形態によると、無線により通信を行う無線通信装置であって、電波を送信又は受信する電波共振部と、グランドに接地されたアンテナグランド部と、前記アンテナグランド部を、前記無線通信装置の他のグランド部より前記電波共振部に近い位置に固定する接続部と、前記電波共振部に対して前記アンテナグランド部より離れた位置に配回され、シールド線が前記アンテナグランド部における前記電波共振部に対する背面側において前記アンテナグランド部に接続され、信号線が前記電波共振部に接続される給電線とを備える無線通信装置を提供する。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１４】
図１は、本実施形態に係る情報処理装置１００の構造を示す。情報処理装置１００は、本発明に係る無線通信装置の一例であり、他の装置との間で無線により通信を行う。情報処理装置１００は、情報処理装置１００の利用者による操作を入力する入力部１１０と、情報処理装置１００の利用者に情報を出力する表示部１２０と、表示部１２０を、入力部１１０に対して開閉可能に接続するヒンジ部１３０と、無線により送信すべき信号を生成し、無線により受信された信号を情報処理装置１００が使用するデータに変換する通信回路１４０と、通信回路１４０が生成した信号が供給され、無線電波を放射すると共に、無線により受信された信号を通信回路１４０に供給するアンテナユニット２００ａ〜ｂとを備える。
【００１５】
本実施形態に係る情報処理装置１００は、例えばＩＥＥＥ８０２．１１ａに用いる周波数５ＧＨｚ帯や、例えばＩＥＥＥ８０２．１１ｂ／ｇやＢｌｕｅｔｏｏｔｈ（登録商標）に用いる周波数２．４５ＧＨｚ帯での無線通信に共用され、情報処理装置１００の種類やパーツ・配線の位置のばらつき等による特性の変化を抑えた高性能なアンテナユニット２００ａ〜ｂを備えることにより、高い無線通信性能を実現する。
【００１６】
図２は、本実施形態に係るアンテナユニット２００ａの構造を示す。図２（ａ）は、本実施形態に係るアンテナユニット２００ａを表示部１２０の入力部１１０側から見た図を示す。図２（ｂ）は、本実施形態に係るアンテナユニット２００ａを表示部１２０の側面方向から見た図を示す。図２（ｃ）は、本実施形態に係るアンテナユニット２００ａの斜視図である。
【００１７】
アンテナユニット２００ａは、表示部１２０の表示面に向かって右側の側面に設けられる。アンテナユニット２００ａは、例えば２．４５ＧＨｚ帯等の第１の周波数帯と、例えば５ＧＨｚ帯等の第２の周波数帯とにおける無線通信において共用される。アンテナユニット２００ａは、電波共振部２１０ａと、アンテナグランド部２２０ａと、接続部２３０ａと、給電線２４０ａと、補強部材２５０ａとを有する。
【００１８】
電波共振部２１０ａは、電波を送信及び／又は受信する。すなわち、電波共振部２１０ａは、通信回路１４０から送信すべき電気信号を受けて共振することにより電波を送信し、無線電波を受けて共振することにより電波信号を通信回路１４０へ供給する。ここで、電波共振部２１０ａは、第１の周波数帯及び第２の周波数帯の電波の送信又は受信において共用されるが、第１の周波数帯において最適な無線通信が行えるように設計されている。
【００１９】
電波共振部２１０ａは、アンテナグランド部２２０ａから表示部１２０の表示方向へ向かって延伸する電波共振側部２１４ａと、アンテナグランド部２２０ａと対向して設けられ、電波共振側部２１４ａから表示部１２０側に向かって延伸する電波共振上部２１２ａとを含む。本実施形態において、電波共振上部２１２ａは、アンテナグランド部２２０ａと略平行に対向して設けられる。本実施形態に係る電波共振側部２１４ａは、少なくとも一部が電波共振上部２１２ａの長辺方向に延伸して設けられ、一端がアンテナグランド部２２０ａに接続され、他端が電波共振上部２１２ａに接続される。そして、電波共振上部２１２ａ及び電波共振側部２１４ａは、略Ｕ字形状をなす。
【００２０】
電波共振上部２１２ａは、本発明に係る第１電波共振エレメントとして機能し、第１の周波数帯における第１の周波数の電波の送受信に用いられる。一方、電波共振側部２１４ａは、本発明に係る第２電波共振エレメントとして機能し、第２の周波数帯における第２の周波数の電波の送受信に用いられる。ここで、第１の周波数は、第２の周波数と比較し低く、電波共振上部２１２ａは、電波共振側部２１４ａより長い波長の電波の送信又は受信に用いられる。
【００２１】
アンテナグランド部２２０ａは、電波共振部２１０ａと電気的に接続され、グランドに接地されたグランド面として機能する。アンテナグランド部２２０ａは、電波共振部２１０ａと一体に形成されることにより電気的に接続されてよい。この場合において、アンテナグランド部２２０ａは、電波共振部２１０ａと同一の板金から一体の部品としてプレス加工により形成されてもよく、これに代えて一の金型により電波共振部２１０ａと一体の部品として鋳造されてもよい。また、本実施形態において、アンテナグランド部２２０ａは、表示部１２０の側面側に当該側面と平行な底辺を有し、上辺が底辺より短い台形形状をとる。
【００２２】
アンテナグランド部２２０ａは、表示部１２０の側面から表示部１２０の外側へ向かって、表示部１２０の表示面と略平行に延伸する。そして、電波共振部２１０ａは、アンテナグランド部２２０ａにおける表示部１２０から遠い側の辺に設けられる。これにより、アンテナグランド部２２０ａは、表示部１２０の側面を配回される給電線２４０ａにより電波共振部２１０ａが影響を受けるのを防ぐことができる。
【００２３】
また、アンテナグランド部２２０ａは、図２（ａ）に示すように、表示部１２０の表示面より表示方向側（すなわち電波共振部２１０ａ側）かつ電波共振部２１０ａより表示部１２０側に位置することが望ましい。これにより、アンテナグランド部２２０ａは、表示部１２０の信号線やグランド部分等により電波共振部２１０ａが影響を受けるのを防ぐことができる。
【００２４】
接続部２３０ａは、アンテナグランド部２２０ａを、情報処理装置１００の他のグランド部、すなわち例えば表示部１２０等のアンテナグランド部２２０ａ以外の部品のグランド部より接続部２３０ａに近い位置となるように固定する。これにより、接続部２３０ａは、情報処理装置１００の他のグランド部等によりアンテナユニット２００ａの特性が影響を受けるのを抑えることができる。ここで、接続部２３０ａは、電波共振部２１０ａ及びアンテナグランド部２２０ａと一体に形成されてもよい。接続部２３０ａは、給電線２４０ａを接続部２３０ａに対して固定する給電線固定部２６０ａと、アンテナユニット２００ａを表示部１２０に固定するためのネジ穴等である取付穴２７０ａとを含む。
【００２５】
給電線２４０ａは、通信回路１４０とアンテナユニット２００ａとを接続する、例えば同軸ケーブル等の配線である。給電線２４０ａは、電波共振部２１０ａに対してアンテナグランド部２２０ａより離れた位置に配回される。そして、給電線２４０ａのシールド線は、アンテナグランド部２２０ａにおける電波共振部２１０ａに対する背面側のシールド接続部２４２ａにおいてアンテナグランド部２２０ａに接続される。これにより、給電線２４０ａの配線位置のばらつきや、シールド接続部２４２ａにおけるはんだ付け等の接続状態のばらつきによって、電波共振部２１０ａのアンテナ特性が影響を受けるのを防ぐことができる。
【００２６】
また、給電線２４０ａの芯線である信号線は、シールド接続部２４２ａから延伸して、信号接続部２４４ａにおいて電波共振部２１０ａに接続される。ここで、給電線２４０ａの信号線は、表示部１２０の側面方向におけるアンテナグランド部２２０ａの端部であって、信号接続部２４４ａにより近い端部側から信号接続部２４４ａに配回される。これにより、給電線２４０ａの芯線が電波共振部２１０ａのアンテナ特性に与える影響を抑えることができる。
【００２７】
補強部材２５０ａは、電波共振部２１０ａにおけるアンテナグランド部２２０ａと平行な部分である電波共振上部２１２ａと、アンテナグランド部２２０ａとの間に設けられ、電波共振上部２１２ａとアンテナグランド部２２０ａとの間の間隔を設計値に保つと共に，アンテナユニット２００ａを補強する。なお、図２（ａ）及び図２（ｃ）においては、記載の便宜上補強部材２５０ａの図示を省略する。
【００２８】
図３は、本実施形態に係るアンテナユニット２００ｂの構造を示す。図３（ａ）は、本実施形態に係るアンテナユニット２００ｂを表示部１２０の入力部１１０側から見た図を示す。図３（ｂ）は、本実施形態に係るアンテナユニット２００ｂを表示部１２０の側面方向から見た図を示す。図３（ｃ）は、本実施形態に係るアンテナユニット２００ｂの斜視図である。
【００２９】
アンテナユニット２００ｂは、表示部１２０の表示面に向かって左側の側面に設けられる。アンテナユニット２００ｂは、第１の周波数帯と、第２の周波数帯とにおける無線通信において共用される。アンテナユニット２００ｂは、表示部１２０に対してアンテナユニット２００ａと略対称な構造を採り、アンテナユニット２００ｂが有する電波共振部２１０ｂ、アンテナグランド部２２０ｂ、接続部２３０ｂ、給電線２４０ｂ、及び補強部材２５０ｂは、アンテナユニット２００ａの対応する部材と同様の構造及び機能を有するため、以下相違点を除き説明を省略する。
【００３０】
電波共振部２１０ｂは、電波共振部２１０ａと同様に、第１の周波数帯及び第２の周波数帯の電波の送信又は受信において共用される。ここで、電波共振部２１０ｂは、第２の周波数帯において最適な無線通信が行えるように設計されており、電波共振部２１０ａと比較し、第１の周波数帯の利得が低く、第２の周波数帯の利得が高い。これにより、通信回路１４０は、アンテナユニット２００ａ〜ｂのうち、より良好に無線通信が行えるアンテナユニット２００を選択して無線通信を行うことができる。
【００３１】
上記の特性の相違を実現するため、アンテナユニット２００ｂは、次の点においてアンテナユニット２００ａと異なる。まず、電波共振上部２１２ｂは、電波共振上部２１２ａと比較し短く、電波共振上部２１２ａにおける電波共振側部２１４ａと接続されない側の端部が除去された構成を採る。また、電波共振側部２１４ｂは、電波共振上部２１２ｂと接続される端部において、アンテナグランド部２２０ｂに近接する部分が電波共振側部２１４ａの対応する部分と比較し一部除去された構成を採る。そして、これらの相違点により生じるインピーダンスの相違を整合させるため、信号接続部２４４ｂは、電波共振側部２１４ｂにおける電波共振上部２１２ｂの長辺方向の中間部分に設けられる。
【００３２】
図４は、本実施形態に係るアンテナユニット２００ａ〜ｂの部品であるアンテナパーツ２０５の形状を示す。本実施形態に係るアンテナパーツ２０５は、１枚の板金からプレス加工によって形成される。
【００３３】
アンテナユニット２００ａとして用いる場合、アンテナパーツ２０５は、以下に示す様に加工される。まず、電波共振側部２１４は、電波共振上部２１２と接続される端部において、アンテナグランド部２２０に近接する部分である除去部分４００ａが除去される。この結果、電波共振側部２１４ｂは、電波共振側部２１４ａにおける除去部分４００ａに対応する部分が除去された構成を採る。また、給電線固定部２６０は、図面の正面方向から見て、接続部２３０の裏側に曲げられて給電線２４０ａを保持し、アンテナグランド部２２０は、接続部２３０と略垂直となる様に、接続部２３０に対して奥側へ曲げられる。
【００３４】
また、電波共振側部２１４は、アンテナグランド部２２０と略垂直となる様に、アンテナグランド部２２０に対して手前側へ曲げられ、電波共振上部２１２は、電波共振側部２１４と略垂直となる様に、電波共振側部２１４に対して手前側へ曲げられる。
【００３５】
一方、アンテナユニット２００ｂとして用いる場合、アンテナパーツ２０５は、以下に示す様に加工される。まず、電波共振上部２１２は、電波共振側部２１４と接続されない側の端部である除去部分４００ｂが除去される。この結果、電波共振上部２１２ｂは、電波共振上部２１２ａにおける除去部分４００ｂに対応する部分が除去された構成を採る。また、給電線固定部２６０は、図面の正面方向から見て、接続部２３０の手前側に曲げられて給電線２４０ｂを保持し、アンテナグランド部２２０は、接続部２３０と略垂直となる様に、接続部２３０に対して手前側へ曲げられる。
【００３６】
また、電波共振側部２１４は、アンテナグランド部２２０と略垂直となる様に、アンテナグランド部２２０に対して奥側へ曲げられ、電波共振上部２１２は、電波共振側部２１４と略垂直となる様に、電波共振側部２１４に対して奥側へ曲げられる。
【００３７】
以上に示した通り、アンテナグランド部２２０及び電波共振部２１０は、アンテナパーツ２０５から一体に形成される。これにより、電波共振部２１０に対するアンテナグランド部２２０の取り付け位置の誤差や、電波共振部２１０をアンテナグランド部２２０にはんだ付け等により取り付けた場合におけるはんだ量のばらつき等によってアンテナ特性がばらつくのを防ぐことができる。
【００３８】
図５は、アンテナグランド部２２０を有しないアンテナのＶＳＷＲ（Ｖｏｌｔａｇｅ  Ｓｔａｎｄｉｎｇ  Ｗａｖｅ  Ｒａｔｉｏ）特性を示す。図６は、本実施形態に係るアンテナユニット２００ａのＶＳＷＲ特性を示す。図５及び図６のそれぞれは、機種Ａ、機種Ｂ、及び機種Ｃのそれぞれについて、表示パネルＸ（液晶ディスプレイＸ）又は表示パネルＹ（液晶ディスプレイＹ）を搭載した場合における、２．４５ＧＨｚ帯のＶＳＷＲ特性を示す。
【００３９】
アンテナグランド部２２０を有しない場合、ＶＳＷＲ特性は、機種及び表示パネルの種類により大きく異なる。特に、表示パネルの相違によって、ＶＳＷＲが最小値となる周波数が２．４ＧＨｚ近辺から２．５ＧＨｚ近辺の範囲で大きく変化する。これは、同一のアンテナを用いた場合、表示パネルの相違により、アンテナのインピーダンスにばらつきが生じていることを示す。２．４５ＧＨｚ帯においては、無線通信に用いる周波数帯は１００ＭＨｚの帯域幅であるため、アンテナグランド部２２０を有しないアンテナにおいては、情報処理装置１００の機種や表示部１２０の種類に応じて信号接続部２４４ａの位置を変更する等により、個別にインピーダンスの整合を採る必要が生じる。
【００４０】
一方、アンテナユニット２００ａの場合、ＶＳＷＲ特性は、アンテナグランド部２２０を有しない場合と比較し、機種及び表示パネルの種類による相違が抑えられる。特に、表示パネルの相違によっても、ＶＳＷＲが最小値となる周波数の変化を、２．４５ＧＨｚ近辺から２．４７ＧＨｚ近辺の範囲に抑えることができる。この結果、アンテナユニット２００ａによれば、２．４ＧＨｚから２．５ＧＨｚの範囲でＶＳＷＲを１．５以下に抑えることができ、情報処理装置１００の機種及び表示部１２０の種類によらず同一のアンテナユニット２００ａを用いて良好な通信特性を提供することができる。
【００４１】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４２】
以上に説明した実施形態によれば、以下の各項目に示すアンテナユニット及び無線通信装置が実現される。
【００４３】
（項目１）  無線により通信を行う無線通信装置に設けられるアンテナユニットであって、電波を送信又は受信する電波共振部と、前記電波共振部と伝記的に接続されたアンテナグランド部と、前記アンテナグランド部を、前記無線通信装置の他のグランド部より前記電波共振部に近い位置に固定する接続部とを備えるアンテナユニット。
（項目２）  前記アンテナグランド部は、前記電波共振部と一体に形成された項目１記載のアンテナユニット。
（項目３）  前記電波共振部に対して前記アンテナグランド部より離れた位置に配回され、シールド線が前記アンテナグランド部に接続される給電線を更に備える項目１記載のアンテナユニット。
【００４４】
（項目４）  前記給電線の前記シールド線は、前記アンテナグランド部における前記電波共振部に対する背面側において、前記アンテナグランド部に接続される項目３記載のアンテナユニット。
（項目５）  前記無線通信装置は表示パネルを備え、前記アンテナグランド部は、前記表示パネルの側面から前記表示パネルの外側へ向かって延伸する項目１記載のアンテナユニット。
（項目６）  前記アンテナグランド部は、前記表示パネルの表示面より表示方向側かつ前記電波共振部より前記表示パネル側に位置する項目５記載のアンテナユニット。
【００４５】
（項目７）  前記電波共振部は、前記アンテナグランド部から前記表示パネルの表示方向へ向かって延伸する電波共振側部と、前記アンテナグランド部と対向して設けられ、前記電波共振側部から前記表示パネル側に向かって延伸する電波共振上部とを有する項目５記載のアンテナユニット。
（項目８）  前記電波共振部は、第１電波共振エレメントと、少なくとも一部が前記第１電波共振エレメントの長辺方向に延伸して設けられ、一端が前記アンテナグランド部に接続され、他端が前記第１電波共振エレメントに接続された第２電波共振エレメントとを有し、前記第１電波共振エレメントは、前記第２電波共振エレメントより長い波長の電波を送信又は受信する項目１記載のアンテナユニット。
【００４６】
（項目９）  無線により通信を行う無線通信装置に設けられるアンテナユニットであって、電波を送信又は受信する電波共振部と、グランドに接地されたアンテナグランド部と、前記アンテナグランド部を、前記無線通信装置の他のグランド部より前記電波共振部に近い位置に固定する接続部と、前記電波共振部に対して前記アンテナグランド部より離れた位置に配回され、シールド線が前記アンテナグランド部における前記電波共振部に対する背面側において前記アンテナグランド部に接続され、信号線が前記電波共振部に接続される給電線とを備えるアンテナユニット。
【００４７】
（項目１０）  無線により通信を行う無線通信装置であって、電波を送信又は受信する電波共振部と、前記電波共振部と電気的に接続されたアンテナグランド部と、前記アンテナグランド部を、前記無線通信装置の他のグランド部より前記電波共振部に近い位置に固定する接続部とを備える無線通信装置。
（項目１１）  第１の前記電波共振部及び第２の前記電波共振部と、前記第１の電波共振部及び前記第２の電波共振部とそれぞれ電気的に接続された第１の前記アンテナグランド部及び第２の前記アンテナグランド部と、前記第１のアンテナグランド部及び前記第２のアンテナグランド部を、前記無線通信装置の他のグランド部よりそれぞれ前記第１の電波共振部及び前記第２の電波共振部に近い位置に固定する第１の前記接続部及び第２の前記接続部とを備え、前記第１の電波共振部及び前記第２の電波共振部のそれぞれは、第１の周波数帯及び第２の周波数帯の送信又は受信において共用され、前記第２の電波共振部は、前記第１の電波共振部と比較し、前記第１の周波数帯の利得が低く、前記第２の周波数帯の利得が高い項目１０記載の無線通信装置。
【００４８】
（項目１２）  無線により通信を行う無線通信装置であって、電波を送信又は受信する電波共振部と、グランドに接地されたアンテナグランド部と、前記アンテナグランド部を、前記無線通信装置の他のグランド部より前記電波共振部に近い位置に固定する接続部と、前記電波共振部に対して前記アンテナグランド部より離れた位置に配回され、シールド線が前記アンテナグランド部における前記電波共振部に対する背面側において前記アンテナグランド部に接続され、信号線が前記電波共振部に接続される給電線とを備える無線通信装置。
【００４９】
【発明の効果】
上記説明から明らかなように、本発明によれば、無線通信装置の種類やパーツ・配線の位置のばらつき等による特性の変化を抑えたアンテナユニット及び無線通信装置を提供することができる。
【図面の簡単な説明】
【図１】本発明の実施形態に係る情報処理装置１００の構造を示す。
【図２】本発明の実施形態に係るアンテナユニット２００ａの構造を示す。図２（ａ）は、本発明の実施形態に係るアンテナユニット２００ａを表示部１２０の入力部１１０側から見た図を示す。図２（ｂ）は、本発明の実施形態に係るアンテナユニット２００ａを表示部１２０の側面から見た図を示す。図２（ｃ）は、本発明の実施形態に係るアンテナユニット２００ａの斜視図である。
【図３】本発明の実施形態に係るアンテナユニット２００ｂの構造を示す。図３（ａ）は、本発明の実施形態に係るアンテナユニット２００ｂを表示部１２０の入力部１１０側から見た図を示す。図３（ｂ）は、本発明の実施形態に係るアンテナユニット２００ｂを表示部１２０の側面から見た図を示す。図３（ｃ）は、本発明の実施形態に係るアンテナユニット２００ｂの斜視図である。
【図４】本発明の実施形態に係るアンテナユニット２００ａ〜ｂの部品であるアンテナパーツ２０５の形状を示す。
【図５】アンテナグランド部２２０を有しないアンテナのＶＳＷＲ特性を示す。
【図６】本発明の実施形態に係るアンテナユニット２００のＶＳＷＲ特性を示す。
【符号の説明】
１００  情報処理装置
１１０  入力部
１２０  表示部
１３０  ヒンジ部
１４０  通信回路
２００ａ〜ｂ  アンテナユニット
２０５  アンテナパーツ
２１０ａ〜ｂ  電波共振部
２１２ａ〜ｂ  電波共振上部
２１４ａ〜ｂ  電波共振側部
２２０ａ〜ｂ  アンテナグランド部
２３０ａ〜ｂ  接続部
２４０ａ〜ｂ  給電線
２４２ａ〜ｂ  シールド接続部
２４４ａ〜ｂ  信号接続部
２５０ａ〜ｂ  補強部材
２６０ａ〜ｂ  給電線固定部
２７０ａ〜ｂ  取付穴
４００ａ〜ｂ  除去部分
【図１】
2004266681.tif 000003
【図２】
2004266681.tif 000004
【図３】
2004266681.tif 000005
【図４】
2004266681.tif 000006
【図５】
2004266681.tif 000007
【図６】
2004266681.tif 000008